(57)【特許請求の範囲】
【請求項１】
挿入されたフロッピーディスクを駆動するためのフロッピーディスクドライブを制御するために使用される集積回路において、前記フロッピーディスクドライブ全体の動作を制御するためのロジック回路と、機能を選択するための機能選択回路と、電源が投入された時点から電源電圧が安定する一定時間経過後にリセット信号を出力するパワーオンリセット回路と、前記リセット信号に応答して前記機能選択回路の出力を保持し、該保持した出力を前記ロジック回路に供給する出力保持手段とを有することを特徴とする、フロッピーディスクドライブ用集積回路。
【請求項２】
前記機能選択回路は、一つの機能選択端子に対して複数の機能を選択可能であって、前記複数の機能にそれぞれ対応した複数の機能選択信号の１つを出力するための論理回路を含み、前記出力保持手段は、前記複数の機能選択信号にそれぞれ対応して設けられた複数のＤタイプ−フリップ・フロップから成り、前記複数のＤタイプ−フリップ・フロップは、前記複数の機能選択信号を各々受けるデータ端子と、前記リセット信号が共通に供給されるクロック端子とを持つ、請求項１に記載のフロッピーディスクドライブ用集積回路。
【請求項３】
前記パワーオンリセット回路は、前記電源電圧を検出して、電圧検出信号を出力する電圧検出回路と、該電圧検出信号に応答して、前記一定時間経過後に前記リセット信号を出力するディレイ回路とを有する、請求項１に記載のフロッピーディスクドライブ用集積回路。
【発明の詳細な説明】
【０００１】
【発明の属する技術分野】
本発明は、フロッピーディスクドライブを制御するために使用される集積回路（以下、ＩＣとも略称する）に関する。
【０００２】
【従来の技術】
周知のように、フロッピーディスクドライブ（以下、ＦＤＤとも略称する）は、それに挿入されたフロッピーディスク（以下、ＦＤとも略称する）の円板状磁気記録媒体に対してデータの記録再生を行うための装置である。そして、このようなフロッピーディスクドライブは、ラップトップ・パソコンやノート型パソコン、あるいはノート型ワープロ等の携帯型電子機器に搭載される。
【０００３】
この種のフロッピーディスクドライブは、フロッピーディスクの磁気記録媒体に対してデータの読出し／書込みを行う磁気ヘッドと、この磁気ヘッドをフロッピーディスクに対して所定の半径方向に沿って移動可能に先端で支持するキャリッジアセンブリと、このキャリッジアセンブリを上記所定の半径方向に沿って移動させるステッピングモータと、フロッピーディスクを保持しつつ磁気記録媒体を回転駆動するスピンドルモータとを有している。
【０００４】
このようなフロッピーディスクドライブを制御するためのＦＤＤ制御装置は、従来から種々提案されている。例えば、特開平９−９７４９３号公報には、上記データの読出し／書込みを行うためのリード／ライト系（以下、Ｒ／Ｗ系と呼ぶ）系制御回路と、ステッピングモータの駆動を制御するためのステッピングモータ系（以下、ＳＴＰ系と呼ぶ）制御回路と、フロッピーディスクドライブ全体の動作を制御するためのコントロール系（以下、ＣＴＬ系と呼ぶ）制御回路とを１チップＩＣに組み込んだものが開示されている。この１チップＩＣは、一般に、多数のＭＯＳＦＥＴを集積したＭＯＳ・ＩＣで実現される。
【０００５】
上記ＦＤＤ制御装置は、この１チップＩＣの他に、スピンドルモータの駆動を制御するためのスピンドルモータ用ＩＣをも備えているが、このＩＣは多数のバイポーラトランジスタを集積したバイポーラＩＣで実現される。
【０００６】
ところで、ＦＤＤは客先によって仕様が異なる。例えば、Drive Select  ０又は１、スペシャルシーク機能の有無、オートチャッキング機能の有無、Density Out 信号の論理の違い、モートSelect信号の論理の違い、１Ｍモード２５０kbps又は３００kbps等。この仕様を満足するように、１チップＩＣを仕様毎におのおの開発すると、多種類の１チップＩＣを用意しておかなければない。これを回避するために、１チップＩＣの内部に、あらかじめ全ての仕様を満足する全ての機能を盛り込んでおき、仕様に合わせて機能を選択するようにした、機能選択回路付き１チップＩＣも既に提案されている（例えば、特開平９−９７８３９号公報参照）。
【０００７】
一方、周知のように、ＦＤＤによって駆動されるＦＤは、磁気ヘッドでアクセスされる円板状磁気記録媒体を含み、この磁気記録媒体の表面上には、半径方向に沿ってデータを記録するための通路としての複数本のトラックが同心円状に形成されている。ＦＤのトラック本数は片面８０本であり、最外周トラックＴＲ00から最内周トラックＴＲ79まである。ここでは、最外周トラックＴＲ00を最端トラックと呼ぶことにする。
【０００８】
ＦＤをＦＤＤの磁気ヘッドでアクセスする場合、所望のトラック位置に磁気ヘッドを位置決めする必要がある。この為には、磁気ヘッドを先端で支持しているキャリッジアセンブリを位置決めすれば良い。キャリッジアセンブリの駆動手段としてステッピングモータを採用しているので、ＦＤＤではキャリッジアセンブリの位置決めを容易に行うことができる。それにも拘らず、ＦＤＤでは、それに挿入されたＦＤの磁気記録媒体の最端トラックＴＲ00の位置だけは検出する必要がある。この最端トラックＴＲ00の位置を検出する為に、キャリッジアセンブリにはその底部から下方に突出した遮断板が備えられ、このキャリッジアセンブリと対向するメインフレームに近接した基板にフォトインタラプタが取り付けられている（例えば、特開平９−９１８５９号公報参照）。すなわち、フォトインタラプタの光路を遮断板が遮断することにより、磁気ヘッドがＦＤの磁気記録媒体の最端トラックＴＲ00の位置にあることを検出することができる。このようなトラック位置検出機構は、この技術分野では「００センサ」と呼ばれる。
【０００９】
図１０を参照して、機能選択回路を含む従来のＦＤＤ用集積回路（１チップＩＣ）５０´について説明する。前述したように、ＦＤＤ用集積回路５０´は、Ｒ／Ｗ系制御回路と、ＳＴＰ系制御回路と、ＣＴＬ系制御回路と、機能選択回路とを内蔵しているが、ここでは、ＣＴＬ系制御回路（ロジック回路）５３と機能選択回路５４とのみ図示してある。
【００１０】
機能選択回路５４は、１チップＩＣ５０´の外部に取り付けられた機能選択端子５４１と、閾値レベル設定用の抵抗分圧回路５４２と、第１および第２の比較器５４３および５４４と、論理回路（判定回路）５４５とを有する。図示の例では、１つの機能選択端子５４１のみを有しているが、複数の機能選択端子がある場合には、図１０に示したものと同様な構成のものが機能選択端子毎に複数存在することになる。
【００１１】
機能選択端子５４１は、論理“Ｌ”レベル、論理“Ｈ”レベル、およびこれら論理“Ｌ”レベルと論理“Ｈ”レベルの中間のレベルを示す論理“Ｍ”レベルの中の一つを設定レベルＶs として１チップＩＣ５０´に入力するためのものである。本例において、機能選択端子５４１を接地することにより、論理“Ｌ”レベルが設定レベルＶs として１チップＩＣ５０´に入力し、機能選択端子５４１に電源電圧Ｖcc（例えば、Ｖcc＝５Ｖ）を供給することにより、論理“Ｈ”レベルが設定レベルＶs として１チップＩＣ５０´に入力し、機能選択端子５４１をオープンにすることにより、論理“Ｍ”レベルが設定レベルＶs として１チップＩＣ５０´に入力する。したがって、設定レベルＶs は接地電圧（論理“Ｌ”レベル）、電源電圧Ｖcc（論理“Ｈ”レベル）、および中間電圧（論理“Ｍ”レベル）のいずれかをとる。接地電圧は０Ｖ、電源電圧Ｖccは５Ｖであり、中間電圧は０．８〜４．２Ｖの範囲の電圧である。
【００１２】
抵抗分圧回路５４２は、電源電圧Ｖccが供給され電源端子と接地端子との間に直列に接続された３個の抵抗器Ｒ10、Ｒ12、およびＲ13から構成されている。抵抗分圧回路５４２は、論理“Ｌ”レベルと論理“Ｍ”レベルとの間の第１の閾値レベルＶth1 と、論理“Ｍ”レベルと論理“Ｈ”レベルとの間の第２の閾値レベルＶth2 とを発生する。本例では、第１の閾値レベルＶth1 は０．８Ｖに等しく、第２の閾値レベルＶth2 は４．２Ｖに等しい。
【００１３】
第１の比較器５４３は機能選択端子５４１と抵抗分圧回路５４２とに接続されている。第１の比較器５４３は、設定レベルＶs と第１の閾値レベルＶth1 とを比較して、第１の機能選択用入力レベルＶin1 を出力する。設定レベルＶs が第１の閾値レベルＶth1 より低いとき、第１の比較器５４３は第１の機能選択用入力レベルＶin1 として論理“Ｌ”レベル（０Ｖ）すなわち論理“０”レベルを出力する。設定レベルＶs が第１の閾値レベルＶth1 より高いとき、第１の比較器５４３は第１の機能選択用入力レベルＶin1 として論理“Ｈ”レベル（５Ｖ）すなわち論理“１”レベルを出力する。
【００１４】
同様に、第２の比較器５４４は機能選択端子５４１と抵抗分圧回路５４２とに接続されている。第１の比較器５４３は、設定レベルＶs と第２の閾値レベルＶth2 とを比較して、第２の機能選択用入力レベルＶin2 を出力する。設定レベルＶs が第２の閾値レベルＶth2 より低いとき、第２の比較器５４４は第２の機能選択用入力レベルＶin2 として論理“Ｌ”レベル（０Ｖ）すなわち論理“０”レベルを出力する。設定レベルＶs が第２の閾値レベルＶth2 より高いとき、第２の比較器５４４は第２の機能選択用入力レベルＶin2 として論理“Ｈ”レベル（５Ｖ）すなわち論理“１”レベルを出力する。第１および第２の機能選択用入力レベルＶin1 およびＶin2 は、論理回路（判定回路）５４５と図示しない出力保護回路とへ送出される。
【００１５】
論理回路（判定回路）５４５は、第１および第２の機能選択用入力レベルＶin1 およびＶin2 を処理（判定）して、その処理結果を２本の出力信号線へ送出する。論理回路（判定回路）５４５の出力は、直接、ロジック回路５３に供給される。
【００１６】
尚、比較器が３個のときは、論理回路（判定回路）の出力信号線も３本必要である。
【００１７】
【発明が解決しようとする課題】
上述したように、従来のＦＤＤ用集積回路５０´では、機能選択回路５４の出力を、そのまま直接、ロジック回路５３に供給している。ところが、周知のように、一般に電源を投入した直後は電源電圧Ｖccは変動して不安定であり、この変動した電源電圧Ｖccが入力電圧として機能選択回路５４に供給される。そのため、電源投入直後では第１および第２の比較器５４３および５４４が、誤った第１および第２の機能選択用入力レベルＶin1 およびＶin2 を出力する可能性があり、その結果、デコーダ５４５も誤った判定を行うおそれがある。そのため、機能選択端子５４１で設定した設定レベルＶs とは異なる機能をロジック回路５３が誤認識してしまうというおそれがある。一方、ＦＤＤの動作中においても、何らかの原因で電源電圧Ｖccが変動することがあり、この様な状況においても、ロジック回路５３は間違った機能を誤認識してしまうというおそれがある。
【００１８】
それ故に本発明の課題は、機能選択回路で選択した機能を常に誤りなくロジック回路において認識することが可能な、フロッピーディスクドライブ用集積回路を提供することにある。
【００１９】
【課題を解決するための手段】
本発明によれば、挿入されたフロッピーディスクを駆動するためのフロッピーディスクドライブを制御するために使用される集積回路において、前記フロッピーディスクドライブ全体の動作を制御するためのロジック回路と、機能を選択するための機能選択回路と、電源が投入された時点から電源電圧が安定する一定時間経過後にリセット信号を出力するパワーオンリセット回路と、前記リセット信号に応答して前記機能選択回路の出力を保持し、該保持した出力を前記ロジック回路に供給する出力保持手段とを有することを特徴とする、フロッピーディスクドライブ用集積回路が得られる。
【００２０】
【作用】
機能選択回路を出力を直接ロジック回路に供給するのでは、機能選択回路とロジック回路との間に出力保持手段を介在させた。出力保持手段は、パワーオンリセット回路から供給されるリセット信号に応答して、機能選択回路の出力を保持し、その保持した出力をロジック回路に供給する。これにより、電源電圧が変動しても、常に正しい機能を選択でき、ロジック回路による誤認識を防止することができる。
【００２１】
【発明の実施の形態】
以下、本発明の実施の形態について図面を参照して詳細に説明する。
【００２２】
最初に、図３及び図４を参照して、本発明に係るフロッピーディスクドライブ用集積回路が適用される、携帯型電子機器に搭載可能な３．５インチ型フロッピーディスクドライブについて説明する。図３は分解斜視図、図４は前面側からみた斜視図である。
【００２３】
図示のフロッピーディスクドライブは、３．５インチ型フロッピーディスク（後述する）を駆動するための装置である。挿入されたフロッピーディスクは、図３及び図４の矢印Ａに示す方向からフロッピーディスクドライブ中に挿入される。挿入されたフロッピーディスクは、ディスクテーブル１１上に、その回転軸１１ａとフロッピーディスクの中心軸とが一致した状態で保持される。ディスクテーブル１１の回転軸１１ａはスプリング１２を介してフレーム１３に設けられた軸受１３ａに挿入され、これによってディスクテーブル１１はフレーム１３の表面上で回転自在に支持されている。従って、ディスクテーブル１１の回転軸１１ａの軸方向Ｂは、フレーム１３の厚み方向と平行に成っている。ディスクテーブル１１は、フレーム１３の裏面に設けられたスピンドルモータ（図示せず）によって回転駆動され、これによってフロッピーディスクの磁気記録媒体が回転する。また、フレーム１３の裏面には、多数の電子部品が搭載された基板（図示せず）が取り付けられている。
【００２４】
フロッピーディスクドライブは、フロッピーディスクの磁気記録媒体に対してデータの読出し／書込みを行うための上下一対の磁気ヘッド１４（上側磁気ヘッドのみを図示する）を備えている。磁気ヘッド１４は、フロッピーディスクドライブの背面側に設けられたキャリッジアセンブリ１５にその先端で支持されている。すなわち、キャリッジアセンブリ１５は、上側磁気ヘッド１４を支持する上側キャリッジ１５Ｕと下側磁気ヘッドを支持する下側キャリッジ１５Ｌとを有する。キャリッジアセンブリ１５は、フレーム１３の表面上で後述するようにフレーム１３から離隔して配置されており、磁気ヘッド１４をその先端でフロッピーディスクに対して所定の半径方向（図２及び図３の矢印Ｃで示す方向）に沿って移動可能に支持している。
【００２５】
また、フレーム１３の背面側の側壁１３１には、ステッピングモータ１６が固定されている。ステッピングモータ１６はキャリッジアセンブリ１５を所定の半径方向Ｃに沿ってリニアに駆動する。詳細に説明すると、ステッピングモータ１６は所定の半径方向Ｃと平行に延在する回転軸（駆動軸）１６１を有し、この回転軸１６１には雄ネジが切られている。この回転軸１６１の先端１６１ａは、フレーム１３の表面から切り起こしにより立設された曲げ部１３２に空けられた穴１３２ａを貫通し、スチールボール１６２が設けられる。この穴１３２ａとスチールボール１６２とによって、回転軸１６１は所定の半径方向Ｃと平行に延在するように規制され、かつその先端１６１ａは回転可能に保持される。
【００２６】
一方、キャリッジアアセンブリ１５は、下側キャリッジ１５Ｌから回転軸１６１まで延在したアーム１５１を有し、このアーム１５１の先端１５１ａは回転軸１６１の雄ネジの谷の部分に係合する。従って、ステッピングモータ１６の回転軸１６１が回転すると、このアーム１５１の先端１５１ａが回転軸１６１の雄ネジの谷の部分に沿って動かされ、これによってキャリッジアセンブリ１５自体が所定の半径方向Ｃに沿って移動する。とにかく、ステッピングモータ１６はキャリッジアセンブリ１５を所定の半径方向Ｃに沿ってリニアに移動させるための駆動手段として働く。
【００２７】
ステッピングモータ１６の回転軸１６１がキャリッジアセンブリ１５の一方の側に設けられているので、キャリッジアセンブリ１５の一方の側はこの回転軸１６１によってフレーム１３から離隔した状態で、移動可能に支持される。しかしながら、この回転軸１６１による支持だけでは、キャリッジアセンブリ１５全体をフレーム１３の表面から離隔した配置することはできない。そのため、ガイドバー１７によって、キャリッジアセンブリ１５の他方の側でキャリッジアセンブリ１５を支持しながら案内する。ガイドバー１７はキャリッジアセンブリ１５を間に挟んで、ステッピングモータ１６の回転軸１６１とは逆側に設けられている。ガイドバー１７は所定の半径方向Ｃに対して平行に延在し、フレーム１３の表面上で一端１７１および他端１７２が後述するように固定され、キャリッジアセンブリ１５を所定の半径方向Ｃに沿って案内する。これによって、キャリッジアセンブリ１５全体がフレーム１３の表面から離隔して配置される。
【００２８】
尚、キャリッジアセンブリ１５からこのガイドバー１７側へフレキシブル・プリンテッド・サーキット（ＦＰＣ）１５２が延在しており、このＦＰＣ１５２はフレーム１３の裏面に取り付けられた基板に電気的に接続される。
【００２９】
ガイドバー１７はフレーム１３の表面でガイドバークランプ１８によって挟持されている。ガイドバークランプ１８はその中央部でフレーム１３の表面にバインド子ネジ１９によって固定されている。詳細に説明すると、ガイドバークランプ１８はガイドバー１７より少しだけ長い矩形固定部材１８０を有し、矩形固定部材１８０のほぼ中央にはバインド子ネジ１９のネジ軸１９０が通過できる程度の穴１８０ａが穿設されている。矩形固定部材１８０の一端１８０ｂおよび他端１７２を挟持するための一対のアーム１８１および１８２が延在している。
【００３０】
ガイドバークランプ１８は単にガイドバー１７を挟持しているだけなので、これだけではガイドバー１７をフレーム１３の表面に固定することはできない。このために、ガイドバー１７の両端１７１および１７２の位置を規制するための一対の位置決め部材が必要である。この一対の位置決め部材としては、フレーム１３の一部をフレーム１３の表面側に切り起こして形成した一対の曲げ部２０１および２０２を使用している。
【００３１】
キャリッジアセンブリ１５の下側キャリッジ１５Ｌは、キャリッジアセンブリ１５をガイドバー１７に沿って摺動可能に支持する支持枠としても働く。下側キャリッジ１５Ｌはガイドバー１７側へ突出した突出部（図示せず）を有し、この突出部中にガイドバー１７が摺動可能に嵌入されている。
【００３２】
フロッピーディスクドライブは、イジェクトプレート２１とディスクホルダ２２とを更に有する。フレーム１３、イジェクトプレート２１、及びディスクホルダ２２は、金属板に打抜き加工、プレス加工、曲げ加工等を施すことにより形成される。
【００３３】
イジェクトプレート２１は、フロッピーディスクの挿入方向Ａおよびその逆方向に沿ってスライド自在なように、フレーム１３上に備えられている。イジェクトプレート２１は、後述するように、フロピーディスクドライブの作動時に、ディスクホルダ２２と協働してフロッピーディスクを保持する。また、イジェクトプレート２１は、フロッピーディスクを挿入方向Ａに沿ってフロッピーディスクドライブ内に挿入することを可能とし、或いはフロッピーディスクを挿入方向Ａと逆方向に沿ってフロッピーディスクドライブ内からの取り出すことを可能とするために、挿入方向Ａに沿ってフロッピーディスクが摺動自在なようにフロッピーディスクを保持する。イジェクトプレート２１には、互いに対向する一対の側壁２１０が形成されている。この両側壁２１０の各々には、一対のカム部２１１が形成されている。また、イジェクトプレート２１の底面には、両側壁２１０に沿って切抜き部２１２が形成され、イジェクトプレート２１の底面中央部には、ディスクテーブル１１を取り囲むように略Ｕ字状の切欠き部２１３が形成されている。更に、イジェクトプレート２１の下面には、ピン（後述する）が設けられており、このピンは、後述するイジェクトレバーの係止部と係合する。
【００３４】
ディスクホルダ２２は、イジェクトプレート２１上に配置されている。ディスクホルダ２２には、主表面２２０と、この主表面２２０の両側端で互いに対向した一対の側壁２２１が形成されている。この両側壁２２１には、それぞれ突片２２２（一方のみ図示）が形成されている。これらの突片２２２は、イジェクトプレート２１の切抜き部２１２を通じてフレーム１３の穴１３３内に挿通される。この突片２２２がフレーム１３の穴１３３内に挿通されることにより、ディスクホルダ２２は、フレーム１３に対する挿入方向Ａの位置が決められるのと同時に、ディスクホルダ２２は、ディスクテーブル１１の回転軸１１ａの軸方向Ｂに沿って往復動自在となる。また、両側壁２２１の各々には、一対のピン２２３が設けられている。このピン２２３は、イジェクトプレート２１の側壁２１０に形成されたカム部２１１内に挿通される。ディスクホルダ２２とイジェクトプレート２１との間には、イジェクトバネ２３が架設されている。
【００３５】
尚、本例の場合、ディスクホルダ２２に突片２２２を設け、フレーム１３３に穴１３３を設けてあるが、これに限らず、フレームに突片を設け、ディスクホルダに穴を設けて構わない。
【００３６】
また、ディスクホルダ２２は、その挿入方向Ａの奥側中央部に、キャリッジアンセンブリ１５の上側キャリッッジ１５Ｕと対応する位置に、所定の半径方向Ｃに延在した略矩形状の開口部２２４が設けられている。この開口部２２４を囲むように、その周囲にディスクホルダ２２の主表面２２０から上方に盛り上がった、略Ｕ字形状の盛り上がり縁２２５が形成されている。一方、キャリッジアンセンブリ１５は、側方に延びる一対の側方アーム１５３を備え、この側方アーム１５３は盛り上がり縁２２５の上に位置する。後述するように、フロッピーディスクがディスクホルダ２２からイジェクトされた状態では、この側方アーム１５３が盛り上がり縁２２５と係合し、これによって上下一対の磁気ヘッド１４同士が互いに離される。さらに、ディスクホルダ２２は、その挿入方向Ａの奥側で開口部２２４から右よりに、後述するイジェクトレバーのレバー部の回動を許すような形状の開口部２２６も有している。
【００３７】
フレーム１３上には、キャリッジアセンブリ１５の近傍に、イジェクトレバー２４が回動自在に設けられている。詳細に述べると、フレーム１３には、その表面から上方に延びるロッド状ピン１３４が立設している。イジェクトレバー２４は、ロッド状ピン１３４が嵌め込まれる筒状部２４０と、この筒状部２４０から径方向に延在するアーム部（レバー部）２４１と、このアーム部２４１の自由端に設けた上方に延在する突起部２４２と、アーム部２４１の自由端側から周方向に延びる円弧状の係止部２４３とを有している。イジェクトレバー２４には、筒状部２４０の周りにイジェクトレバーバネ２５が装着され、このイジェクトレバーバネ２５は、イジェクトレバー２４を図面上、反時計回りに付勢している。イジェクトレバー２４の突起部２４２は上記ディスクホルダ２２の開口部２２６に遊嵌されている。また、この突起部２４２は、後述するフロッピーディスクのシャッタの右側上端縁と係合して、シャッタの開閉を制御する。尚、図３に示されるように、ロッド状ピン１３４の先端にはネジ２６が捩じ込まれており、これによってイジェクトレバー２４がロッド状ピン１３４から抜けるのを防止している。
【００３８】
また、フレーム１３の前端部には、フロントパネル２７が取り付けられている。フロントパネル２７は、フロッピーディスクを出し入れする開口２７１と、この開口２７１を開閉する扉２７２とを備えている。このフロントパネル２７には、イジェクトボタン２８が前後方向移動可能に突設されている。イジェクトボタン２８は、イジェクトプレート２１の前端で前方に突き出ている突起部２１４に嵌め込まれている。
【００３９】
図５を参照して、図３および図４に示されたフロッピーディスクドライブ（ＦＤＤ）によって駆動されるフロッピーディスク（ＦＤ）について説明する。図示のフロッピーディスク４０は、円板状の磁気記録媒体４１と、この磁気記録媒体４１を覆うシェル４２と、矢印Ｄ方向に摺動可能なシャッタ４３とを有する。シャッタ４３には窓４３ａが空けられている。シャッタ４３は矢印Ｄ方向とは逆方向に図示しないバネ部材によって付勢されている。シェル４２は、上記フロッピーディスクドライブの磁気ヘッド１４での磁気記録媒体４１のアクセスを可能とする開口部４２ａを有する。この開口部４２ａは、フロッピーディスク４０がフロッピーディスクドライブ内に挿入されていない状態では、図に示すように、シャッタ４３で覆われている。フロッピーディスク４０がフロッピーディスクドライブ内に挿入されるとき、シャッタ４３の右側縁上端４３ｂにイジェクトレバー２４の突起部２４２が係合して、シャッタ４３を矢印Ｄ方向へ摺動する。
【００４０】
シェル４２は、右上角部に、逆挿入（表裏及び挿入方向を逆にして挿入）防止用の面取り部４２ｂが形成されている。また、シェル４２には、その挿入方向Ａ後端の左側角部に書込み保護用穴４４が穿設されている。
【００４１】
上述したように、フロッピーディスクドライブによって駆動されるフロッピーディスク４０において、磁気ヘッド１４でアクセスされる磁気記録媒体４１の表面上には、データを記録するための通路としての複数本のトラック（図示せず）が半径方向に沿って同心円状に形成されている。フロッピーディスク４０のトラック本数は片面８０本であり、最外周トラック（最端トラック）ＴＲ00から最内周トラックＴＲ79まである。
【００４２】
図３に加えて図６をも参照して、磁気記録媒体４１の最端トラックＴＲ00の位置を検出するためのトラック位置検出機構（００センサ）について説明する。
【００４３】
キャリッジアセンブリ１５において、下側キャリッジ１５Ｌにはその底部から下方に突出した遮断板１５４が備えられている。一方、このキャリッジアセンブリ１５と対向するメインフレーム１３の下面側にはメインプリント基板３０が配設されており、このメインプリント基板３０上にトラック位置検出機構（００センサ）として使用されるフォトインタラプタ３１が実装されている。このため、メインフレーム１３にはこのフォトインタラプタ３１を通すための穴１３ｂが穿設されている。
【００４４】
周知のように、フォトインタラプタ３１は、発光素子（後述する）が内蔵された第１の突出部３１１と、受光素子（後述する）が内蔵された第２の突出部３１２とを有する。第１の突出部３１１と第２の突出部３１２とは、図示の如く、対面するように配置されており、各々の対面する壁面には開口部（図示せず）が設けられている。これら２つの開口部を通して、発光素子から受光素子へ向かう光路が形成される。そして、上記遮断板１５４は、図示の如く、第１の突出部３１１と第２の突出部３１２との間の通路を通過する。
【００４５】
このような構成の００センサにおいて、フォトインタラプタ３１の光路を遮断板１５４が遮断することにより、磁気ヘッド１４がフロッピーディスク４０の磁気記録媒体４１の最端トラックＴＲ00の位置にあることを検出することができる。
【００４６】
図７および図８を参照して、図３および図４に図示したフロッピーディスクドライブ（ＦＤＤ）を制御するためのＦＤＤ制御装置について説明する。
【００４７】
図示のＦＤＤ制御装置は、１チップＩＣ５０（図７）と、スピンドルモータ用ＩＣ６０（図８）と、電源供給回路８０とを有する。これら１チップＩＣ５０、スピンドルモータ用ＩＣ６０、および電源供給回路８０は、メインプリント基板３０（図６）上に実装される。スピンドルモータ用ＩＣ６０は、スピンドルモータの駆動を制御するためのＩＣであって、多数のバイポーラトランジスタを集積したバイポーラＩＣで実現される。これに対して、１チップＩＣ５０は、多数のＭＯＳＦＥＴを集積したＭＯＳ・ＩＣで実現される。電源供給回路８０は、電源スイッチ（図示せず）がオンしたとき、５Ｖの電圧を供給するための回路であって、第１の電源端子ＶＡと第２の電源端子ＶＢとを持つ。
【００４８】
図７に加えて図９をも参照して、１チップＩＣ５０は、Ｒ／Ｗ系制御回路５１と、ＳＴＰ系制御回路５２と、ＣＴＬ系制御回路５３とを内部に組み込んでいる。Ｒ／Ｗ系制御回路５１はデータの読出し／書込みを行うための制御回路である。ＳＴＰ系制御回路５２はステッピングモータ１６（図３）の駆動を制御するための制御回路である。ＣＴＬ系制御回路５３はフロッピーディスクドライブ全体の動作を制御するための制御回路であり、ロジック回路とも呼ばれる。１チップＩＣ５０は上述した機能選択回路５４と、ホスト用Ｉ／Ｆ回路５５と、スピンドルモータ制御用Ｉ／Ｆ回路５６とをさらに含んでいる。ＣＴＬ系制御回路５３は、Ｒ／Ｗ系制御回路５１とＳＴＰ系制御回路５２と機能選択回路５４とホスト用Ｉ／Ｆ回路５５とスピンドルモータ用Ｉ／Ｆ回路５６とに接続されている。
【００４９】
Ｒ／Ｗ系制御回路５１は、ＨＥＡＤ１ライン７１およびＨＥＡＤ０ライン７２を介して、それぞれ、上側磁気ヘッド１４（図３）および下側磁気ヘッドに接続されている。ＳＴＰ系制御回路５２はＳ−ＭＯＴＯＲライン７３を介してステッピングモータ１６（図３）と接続されている。ホスト用Ｉ／Ｆ回路５５はＩ／Ｆライン７４を介してホストシステム（図示せず）と接続されている。スピンドルモータ制御用Ｉ／Ｆ回路５６はＦＦＣライン７５を介してスピンドルモータ用ＩＣ６０に接続されている。
【００５０】
次に、１チップＩＣ５０の入出力端子について説明する。１チップＩＣ５０は、ＨＥＡＤ１ライン７１およびＨＥＡＤ０ライン７２に接続されるＲ／Ｗ系出力端子（ＥＲ１，ＲＷ１Ａ，ＲＷ１Ｂ，ＥＲ０，ＲＷ０Ａ，ＲＷ０Ｂ，ＶＣＣ（Ｒ））を持つ。また、１チップ１Ｃ５０は、Ｓ−ＭＯＴＯＲライン７３に接続されるＳＴＰ系出力端子（ＳＴ１，ＳＴ１Ｂ，ＳＴ４，ＳＴ４Ｂ）を持つ。さらに、１チップＩＣ５０は、Ｉ／Ｆライン７４に接続されるホスト用入出力端子（ＤＣＯ，Ｓ１Ｉ，ＲＤＯ，ＷＰＯ，ＴＫＯ，ＷＧＩ，ＷＤＩ，ＳＴＰ，ＤＩＲ，ＭＴＩ，ＤＳＩ，ＩＤ０，ＨＤＯＯ，ＨＤＩＳ）を持つ。１チップＩＣ５０は、ＦＦＣライン７５に接続されるスピンドルモータ制御用入出力端子（ＩＤＩ，ＭＴＯ，３６０，ＨＤＩ３，ＨＤＩ，ＤＳＯ，ＤＫＩ，ＷＰＩ，１ＭＣＬＫ）を持つ。これら入出力端子以外にも、１チップＩＣ５０は、２つの機能選択入力端子（１Ｍ３６／ＨＤＯＳ／ＷＰＯＳ，ＡＣＨＳ／ＤＳＳ／ＤＲＳ）や、００センサ用の３つの入力端子（ＡＭＰ／ＦＩＬ，ＴＫＩ，ＴＫＳ）、電源端子（ＶＣＣ（Ｒ），ＶＣＣ（Ｃ））等を持つ。
【００５１】
００センサとして動作するフォトインタラプラ３１は、発光素子である発光ダイオード（ＬＥＤ）３１ａと、受光素子であるフォトトランジスタ３１ｂとを有する。ＬＥＤ３１ａのアノードは第１の電源端子ＶＡ（Ｖcc) に接続され、カソードは１チップＩＣ５０のＴＫＳ端子に接続されている。フォトトランジスタ３１ｂのコレクタは第１の電源端子ＶＡ（Ｖcc) に接続されている。また、フォトトランジスタ３１ｂのエミッタは抵抗器Ｒ4 を介して接地されるとともに、１チップＩＣ５０のＴＫＩ端子とＡＭＰ／ＦＩＬ端子とに接続されている。
【００５２】
図８を参照して、スピンドルモータ用ＩＣ６０によって制御されるスピンドルモータは、その詳細な構成については図示しないが、Ｕ相、Ｖ相、およびＷ相の３つのコイル（固定子巻線）６０１，６０２，６０３を持つブラシレス三相直流モータである。そして、スピンドルモータは、永久磁石形回転子（図示せず）と、回転子位置検出器（後述する）とを備えている。一方、スピンドルモータ用ＩＣ６０は、複数個のバイポーラトランジスタから成る駆動トランジスタ（トランジスタ整流子）を内蔵している。すなわち、スピンドルモータは、このモータの回転子位置に応じて、駆動トランジスタのバイポーラトランジスタをオン、オフさせて、該当する固定子巻線に電流を流し、回転子磁極との間にトルクを発生し、回転子を回転させる。回転子の回転にともない、回転子位置検出器から出力される回転子位置検出信号も順次切換えられ、電流を流す固定子巻線を切換え、回転を持続する。
【００５３】
また、スピンドルモータは、回転子の回転数（回転速度）を検出するための周波数発生パターンＦＧＰＴを有する。スピンドルモータ用ＩＣ６０は、周波数発生パターンＦＧＰＴで検出された回転子の回転速度に基づいて、回転子位置検出器からの回転子位置検出信号を参照しながら、電流を流す固定子巻線を切換える。
【００５４】
上記回転子位置検出器としては、図８に示すように、３つのホール素子６０６，６０７，６０８が使用される。これら３つのホール素子６０６〜６０８における詳細な配置関係については、例えば、米国特許第４，８８２，５１１号明細書（対応する公開公報は特開昭６１−１６４４５４号公報）を参照されたい。尚、もう１つのホール素子６０９は、インデックス検出用である。
【００５５】
次に、図１を参照して、本発明の一実施の形態に係るＦＤＤ用集積回路（１チップＩＣ）５０の構成について説明する。尚、図１では本発明に係る要部のみを図示してある。
【００５６】
図１に示されるように、１チップＩＣ５０は、パワーオンリセット回路５７と出力保持回路５８とを有している点を除いて、図１０に示すものと同様の構成を有する。したがって、図１０に示すものと同様の機能を有するものには同一の参照符号を付して、説明の簡略化するためにそれらの説明を省略する。
【００５７】
機能選択回路５４の機能選択端子５４１は、図７の２つの機能選択入力端子（１Ｍ３６／ＨＤＯＳ／ＷＰＯＳ，ＡＣＨＳ／ＤＳＳ／ＤＲＳ）のいずれか１つに対応する。図７の例では、２つの機能選択入力端子を持っているので、実際には、図１に示す機能選択回路５４も２つ必要である。
【００５８】
パワーオンリセット回路５７は１チップＩＣ５０の入力端子５０ｉに接続されている。この入力端子５０ｉは、図７のＶＣＣ（Ｃ）端子である。パワーオンリセット回路５７は電源が投入された時点から電源電圧Ｖccが安定する一定時間経過後にリセット信号XRESETを出力する。詳述すると、パワーオンリセット回路５７は、入力端子５０ｉに供給された電源電圧Ｖccを検出して、電圧検出信号を出力する電圧検出回路５７１と、この電圧検出信号に応答して、上記一定時間経過後にリセット信号XRESETを出力するディレイ回路５７２とを有する。
【００５９】
出力保持回路５８は、機能選択回路５４とロジック回路５３との間に設けられている。リセット信号XRESETに応答して、出力保持回路５８は機能選択回路５４の出力を保持し、その保持した出力をロジック回路５３に供給する。詳述すると、出力保持回路５８は、論理回路（判定回路）５４５の２本の出力信号線にそれぞれ対応して設けられた２個のＤタイプ−フリップ・フロップ５８１および５８２から成る。Ｄタイプ−フリップ・フロップ５８１および５８２は、論理回路（判定回路）５４５から出力される２つの機能選択信号を各々受けるデータ入力端子Ｄと、リセット信号XREST が共通に供給されるクロック端子Ｃと、ロジック回路５３に接続されたデータ出力端子Ｑとを持つ。Ｄタイプ−フリップ・フロップとしては、エッジトリガ型およびレベルトリガ型の２種類を使用できる。
【００６０】
次に、図１に加えて図２をも参照して、１チップＩＣ５０の動作について説明する。
【００６１】
時刻ｔ1 で、電源スイッチ（図示せず）がオンすると、入力端子５０ｉ（図７のＶＣＣ（Ｃ））に電源電圧Ｖccが供給される。しかしながら、周知のように、電源が投入直後は電源電圧Ｖccは変動しており、不安定である。したがって、電源投入直後の機能選択回路５４の出力をそのままロジック回路５３に供給すると間違った機能をロジック回路５３で認識する可能性がある。これを防止するためめに、パワーオンリセット回路５７では、電圧検出回路５７１で電源電圧Ｖccを検出し、この電圧検出信号に応答して、ディレイ回路５７２では電源電圧Ｖccが安定する一定時間Ｔ1 経過した時刻ｔ2 で、リセット信号XRESETを生成する。このリセット信号XRESETに応答して（すなわち、リセット信号XRESETの立上りタイミングで）、Ｄタイプ−フリップ・フロップ５８１および５８２は機能選択回路５４の論理回路（判定回路）５４５から出力される２つの機能選択信号を各々のデータ入力端子Ｄで受けて、それらの機能選択信号を保持し、保持したデータをデータ出力端子Ｑから出力してロジック回路５３へ供給する。
【００６２】
このように、機能選択回路５４とロジック回路５３との間に出力保持回路５８を介在させ、機能選択回路５４の出力を直接ロジック回路５３へ供給するのではなく、電源電圧Ｖccが安定した時点の機能選択回路５４の出力を保持してロジック回路５３へ供給している。これにより、たとえ電源電圧Ｖccが変動しても、常に正しい機能を選択することができ、ロジック回路５３での誤認識を防止することができる。
【００６３】
本発明は上述した実施の形態に限定せず、本発明の趣旨を逸脱しない範囲内で種々の変更・変形が可能なのは勿論である。例えば、パワーオンリセット回路や出力保持回路の構成は上述した実施の形態のものに限定しないのは勿論である。
【００６４】
【発明の効果】
以上の説明から明らかなように、本発明によれば、機能選択回路とロジック回路との間に出力保持手段を介在させ、電源電圧が安定した時点の機能選択回路の出力を保持してロジック回路へ供給するようにしているので、たとえ電源電圧が変動しても、常に正しい機能を選択することができ、ロジック回路での誤認識を防止することができる、という効果を奏する。
【図面の簡単な説明】
【図１】本発明の一実施の形態に係るフロッピーディスクドライブ（ＦＤＤ）用集積回路（１チップＩＣ）の要部の構成を示すブロック図である。
【図２】図１の示した１チップＩＣの動作を説明するためのタイムチャートである。
【図３】本発明に係るフォトインタラプタ駆動回路を含むＦＤＤ用集積回路が適用されるフロッピーディスクドライブの要部を示す分解斜視図である。
【図４】図３に示したフロッピーディスクドライブを斜め前方から見た概略斜視図である。
【図５】フロッピーディスクドライブで駆動されるフロッピーディスクを示す平面図である。
【図６】フロッピーディスクドライブに使用されるトラック位置検出機構（００センサ）の設置構造を説明するための断面図である。
【図７】本発明が適用されるＦＤＤ制御装置の１チップＩＣの外観を示す平面図である。
【図８】図７に図示した１チップＩＣと共に使用される、ＦＤＤ制御装置のスピンドルモータ用ＩＣの外観を示す平面図である。
【図９】図７に図示した１チップＩＣの内部の概略構成を示すブロック図である。
【図１０】従来のＦＤＤ用集積回路（１チップＩＣ）の要部の構成を示すブロック図である。
【符号の説明】
５０    ＦＤＤ用集積回路（１チップＩＣ）
５０ｉ    入力端子
５３    ＣＴＬ系制御回路（ロジック回路）
５４    機能選択回路
５４１    機能選択端子
５４２    抵抗分圧回路
５４３，５４４    比較器
５４５    論理回路（判定回路）
５７    パワーオンリセット回路
５７１    電圧検出回路
５７２    ディレイ回路
５８    出力保持回路
５８１，５８２    Ｄタイプ−フリップ・フロップ
【図１】
0003709910.tif 000002
【図２】
0003709910.tif 000003
【図３】
0003709910.tif 000004
【図４】
0003709910.tif 000005
【図５】
0003709910.tif 000006
【図６】
0003709910.tif 000007
【図７】
0003709910.tif 000008
【図８】
0003709910.tif 000009
【図９】
0003709910.tif 000010
【図１０】
0003709910.tif 000011